(57)【要約】【課題】着脱可能部材にＩＣタグを取り付け、このＩＣタグの情報を読み出すことにより、品質が保証された部材であるか否かを検査する着脱可能部材検査システムを提供する。【解決手段】遊技機（パチンコ機ＰＭ）に着脱可能な不正開放機構７０のストッパ部材７１が、所定の品質を保証されている部材であるか否かを検査する着脱可能部材検査システム（ストッパ部材チェックシステム２００）を、ケース本体部材５０とケース蓋部材６０とから構成され、内部に主制御基板３１を収容する基板ケース１００において、ケース本体部材５０とケース蓋部材６０との閉止状態を保持するストッパ部材７１に取り付けられ、識別情報が記憶されたＩＣタグ２１０と、このＩＣタグ２１０から非接触で識別情報を読み出して表示する端末装置２２０と、から構成する。【選択図】図１５
2007267813.tif 000002
【特許請求の範囲】
【請求項１】
遊技機に着脱可能な着脱可能部材が、所定の品質を保証されている部材であるか否かを検査する着脱可能部材検査システムであって、
前記着脱可能部材に取り付けられ、識別情報が記憶されたＩＣタグと、
前記ＩＣタグから非接触で前記識別情報を読み出して表示する端末装置と、から構成される着脱可能部材検査システム。
【請求項２】
ケース本体部材とケース蓋部材とから構成され、内部に基板を収容する基板ケースにおいて、前記ケース本体部材と前記ケース蓋部材との閉止状態を保持するストッパ部材に取り付けられ、識別情報が記憶されたＩＣタグと、
前記ＩＣタグから非接触で前記識別情報を読み出して表示する端末装置と、から構成される着脱可能部材検査システム。
【請求項３】
前記ストッパ部材が、
一つの面が開口した開口部を有し、矩形箱形に形成された外側部材と、
一つの面が開口した開口部を有し、矩形箱形に形成された内側部材と、から構成され、
前記ＩＣタグが、前記内側部材の前記開口部から挿入されて内面側に取り付けられ、
さらに、前記外側部材の前記開口部から前記内側部材が挿入されて組み立てられる請求項２に記載の着脱可能部材検査システム。
【発明の詳細な説明】
【技術分野】
【０００１】
本発明は、例えば、遊技機の基板ケースが不正に解放されることを防止する基板ケースの不正開放防止機構に用いられるストッパ部材のような着脱可能な部材が、その品質が保証された部材であるか否かを検査する着脱可能部材検査システムに関する。
【背景技術】
【０００２】
パチンコ機やスロットマシン等の遊技機では、遊技機の作動を制御する制御基板が設けられている。例えば、パチンコ遊技機では、外枠に対して開閉可能に組み付けられた前枠裏側の収容枠に遊技盤等が装備され、この遊技盤に制御基板が取り付けられている。スロットマシンにおいても同様に、開閉カバーの裏面に制御基板が取り付けられている。
【０００３】
これらの制御基板は、賞球もしくはメダルの払出制御、電動役物の開閉制御、リールの回転制御、図柄組み合わせの発生確率制御等、パチンコ遊技若しくはスロットマシンの作動を制御する基板であり、遊技機の制御ソフトウェアが記録されたＲＯＭが搭載されて遊技機の作動を制御する中枢制御装置としての役割を有している。このため、制御基板は、偽造ＲＯＭへの差し替え等の不正改造を防止するために、基板ケース内に収容されるとともに、この基板ケースはケースを開いたときにその痕跡が残るような不正開放（若しくは、不正着脱）の防止手段が設けられて構成されており、例えば、挿入して取り付けるストッパ部材により基板ケースをロックする方法が用いられている（例えば、特許文献１参照）。
【０００４】
【特許文献１】特開２００４−２８３４４３号公報
【発明の開示】
【発明が解決しようとする課題】
【０００５】
しかしながら、このような不正開放防止手段が確実に機能し、不正な開放を防止することを保証するためには、ストッパ部材が所定の規格の範囲内にある等、その品質が保証された部材であることが必要である。たとえば、規格から外れたストッパ部材が用いられると基板ケースが正常にロックされず、不正に開放されたことを検出することができない虞がある。すなわち、ストッパ部材のように着脱可能な部材（これを「着脱可能部材」と呼ぶ）が、所定の品質を有していないと、その機能が正しく発揮されない虞がある。
【０００６】
本発明はこのような課題に鑑みてなされたものであり、着脱可能部材にＩＣタグを取り付け、このＩＣタグの情報を読み出すことにより、品質が保証された部材であるか否かを検査する着脱可能部材検査システムを提供することを目的とする。
【課題を解決するための手段】
【０００７】
前記課題を解決するために、第１の本発明に係る着脱可能部材検査システム（例えば、実施形態に係るストッパ部材チェックシステム２００）は、遊技機（例えば、実施形態におけるパチンコ機ＰＭ）に着脱可能な着脱可能部材が、所定の品質を保証されている部材であるか否かを検査するシステムであって、着脱可能部材に取り付けられ、識別情報が記憶されたＩＣタグと、このＩＣタグから非接触で識別情報を読み出して表示する端末装置と、から構成される。
【０００８】
また、第２の本発明に係る着脱可能部材検査システムは、ケース本体部材とケース蓋部材とから構成され、内部に基板（例えば、実施形態における主制御基板３１）を収容する基板ケースにおいて、ケース本体部材とケース蓋部材との閉止状態を保持するストッパ部材に取り付けられ、識別情報が記憶されたＩＣタグと、このＩＣタグから非接触で識別情報を読み出して表示する端末装置と、から構成される。
【０００９】
この第２の本発明に係る着脱可能部材検査システムおいて、ストッパ部材が、一つの面が開口した開口部を有し、矩形箱形に形成された外側部材と、一つの面が開口した開口部を有し、矩形箱形に形成された内側部材と、から構成され、ＩＣタグが、内側部材の開口部から挿入されて内面側に取り付けられ、さらに、外側部材の開口部から内側部材が挿入されて組み立てられることが好ましい。
【発明の効果】
【００１０】
本発明に係る着脱可能部材検査システムを以上のように構成すると、着脱可能部材の品質が保証されるものにＩＣタグを取り付けることにより、非接触で検査することができる。例えば、基板ケースの閉止状態を保持して不正開放を防止するストッパ部材のように、その機能が確実に発揮される必要がある部材にＩＣタグを取り付けることにより、その部材が正規の部材であるか否かを容易に検査することができる。このとき、ストッパ部材を外側部材と内側部材とから構成し、内側部材の内面側にＩＣタグを取り付けて、これらの部材を組み立てるように構成すると、ＩＣタグの取り付け作業が容易になる。
【発明を実施するための最良の形態】
【００１１】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１２】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠機構４を利用して外枠１に閉鎖施錠された状態で保持される。
【００１３】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１４】
なお、遊技盤１０は、板厚１９ｍｍ程度の積層合板を図示する所定形状に切断およびルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１５】
遊技領域ＰＡには、多数本の遊技釘とともにランプ風車や一般風車等の風車２１、一般入賞具や始動具並びに大入賞口を備えたアタッカー等の入賞具２２、および、遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチおよび始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１６】
以上のように構成されたパチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００１７】
遊技盤１０の裏面側には、パチンコ機ＰＭ全体の制御を行う主制御基板が収容された主基板アッセンブリ３０や、画像表示装置２３に表示される画像の制御を行う画像制御基板が収容された画像制御基板アッセンブリ４０が取り付けられている。それでは、図２および図３を参照して、遊技盤１０に取り付けられた主基板アッセンブリ３０および画像制御基板アッセンブリ４０について説明する。ここで、図２は遊技盤１０の背面図であり、図３は遊技盤１０を後方から見た斜視図である。なお、以降の説明においては、図２および図３の状態を基準にして前後左右、および、上下を定義する（図３参照）。
【００１８】
遊技盤１０の中央部には画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００１９】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられる。
【００２０】
次に主基板アッセンブリ３０について図４および図５を用いて説明する。ここで、図４は主基板アッセンブリ３０の分解斜視図であり、図５は主基板ケース１００を示す図であり、図６は主基板ケース１００を構成するケース本体部材５０を示す図であり、図７は主基板ケース１００を構成するケース蓋部材６０を示す図である。
【００２１】
主基板アッセンブリ３０は、パチンコ機ＰＭの作動を統括的に制御する主制御基板３１と、主制御基板３１を内部に収容する主基板ケース１００とから構成される。さらに、主基板ケース１００は、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２２】
主制御基板３１は、図４に示すように、中央部に配置されたＣＰＵ３２や左右に配設された接続コネクタ３３等の電子部品を有して構成される。この主制御基板３１の四隅には、基板取付孔３４が形成されており、基板取付ネジ６１をこの基板取付孔３４に挿入し、図８に示すケース蓋部材６０の基板取付部６７に対して螺挿してネジ締結するように構成されている。
【００２３】
ケース本体部材５０は、図４および図６に示すように、前面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、補強リブ５２が縦横に形成されており、ケース本体部材５０の強度を向上させている。このケース本体部材５０の側壁部（図４においては、底部５１の上下の縁部から前方に延びる側壁部）５３，５３のそれぞれには、複数の蓋部材取付溝５４が形成されている。
【００２４】
ケース蓋部材６０は、図４および図７に示すように、ケース本体部材５０の開口を覆う矩形箱状の形状を有しており、ＡＢＳ樹脂やポリカーボネート（ＰＣ）等の透明な樹脂材料を用いて射出成形等の成形手段により一体的に成形される。このケース蓋部材６０の上下方向縁部に位置する側壁部６９には、外方（図４においては上下方向）に突出する係止突起部６２が複数形成されている。この係止突起部６２は、上述の蓋部材取付溝５４と同じ数だけ形成されており、その配置間隔も蓋部材取付溝５４と対応している。そのため、ケース本体部材５０に対してケース蓋部材６０を取り付けるときは、前方から、蓋部材取付溝５４に係止突起部６２を挿入し、その後、ケース蓋部材６０を左右方向（この実施例においては左方向）にスライド移動させて係止突起部６２と蓋部材取付溝５４とを嵌合させる。そのため、ケース蓋部材６０はケース本体部材５０に対して後方への移動（ケース本体部材５０からケース蓋部材６０を外そうとする移動）が規制される。
【００２５】
ここで、ケース本体部材５０の左端側には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で形成されており、これらの本体側仮止部５５および蓋側仮止部６３は薄く形成されているため、容易に撓めることができる。そのため、蓋側仮止部６３の左端側を本体側仮止部５５から離すように撓めることにより本体側仮止部５５と蓋側仮止部６３の係合は解除され、ケース本体部材５０に対して、ケース蓋部材６０を右方にスライド移動して、このケース蓋部材６０をケース本体部材５０から取り外すことができる。
【００２６】
以上のように、主制御基板３１は、主基板ケース１００（ケース本体部材５０およびケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０には不正開放防止機構７０が設けられている。そこで、図８〜図１３を追加参照して主基板アッセンブリ３０に設けられた不正開放防止機構７０について以下に詳しく説明する。
【００２７】
ここで、図８および図９はストッパ部材７１の斜視図あり、図１０はストッパ部材７１を構成する外側部材８０の斜視図であり、図１１はストッパ部材７１を構成する内側部材９０の斜視図であり、図１２はストッパ部材７１を用いてケース本体部材５０にケース蓋部材６０を係止保持する場合を示す要部拡大図であり、図１３はストッパ部材７１でケース本体部材５０にケース蓋部材６０を係止保持しない場合を示す要部拡大図である。
【００２８】
不正開放防止機構７０は、図４等に示すように、ケース本体部材５０の左端側に連続して一体に形成された４つの本体側係合部５６と、ケース蓋部材６０の左端側に連結して形成された４つの蓋側係合部６４と、蓋側係合部６４に挿入されて、ケース本体部材５０にケース蓋部材６０を固定保持する４つのストッパ部材７１とから構成される。
【００２９】
本体側係合部５６は、図６に示すように、ケース本体部材５０にケース蓋部材６０が取り付けられたときに蓋側係合部６４の各々に覆われる係合底部５６ａと、この係合底部５６ａの上下方向縁部および左方向縁部から前方に延び、ケース本体部材５０にケース蓋部材６０が取り付けられたときに蓋側係合部６４の開口部の周りを覆う係合壁部５６ｂとから構成され、係合底部５６ａの略中央部には凹状の係合凹部５６ｃと凹状の爪待避凹部５６ｆが左右方向に並んで形成されている。また、係合凹部５６ｃおよび爪待避凹部５６ｆを挟むように、左右方向に係合溝５６ｄ，５６ｄが形成されている。さらに、係合壁部５６ｂの右方先端部には、ケース本体部材５０にケース蓋部材６０が取り付けられたときに蓋側係合部６４を抑える係合保持部５６ｅが形成されている。一方、蓋側係合部６４は、前方側（ケース本体部材５０にケース蓋部材６０が取り付けられたときに、本体側係合部５６と対向する側）が開口した矩形箱状に形成されている。なお、ケース蓋部材６０において主制御基板３１を収納する領域を形成する左側の側壁部６５と蓋側係合部６４との間は、蓋側連結部６６で連結されている。この蓋側連結部６６は切断可能に構成されており、ケース蓋部材６０から蓋側係合部６４を分離可能である。また、上下方向両側部には外方に突出して上述の係合保持部５６ｅと嵌合する係合突起部６４ｂが形成されている。
【００３０】
ストッパ部材７１は、図８に示すように、樹脂等からなり矩形箱状に形成されており、矩形箱状の外側部材８０と矩形箱状の内側部材９０とが組み合わされて構成されている。外側部材８０は、図１０に示すように、一方の面が開口して外側開口部８１を有し、この外側開口部８１と対向する面８２に舌状に切り込まれた係合爪部８３が形成されている。この係合爪部８３は、基端側が面８２から外側になだらかに傾斜する傾斜面８３ａを有し、先端側は、面８２に対して略垂直な係合面８３ｂを有している。この面８２には、係合爪部８３を挟むように外方に突出し、且つ、係合爪部８３が延びる方向に略平行に延びる、ガイド部８２ａ，８２ａが形成されている。また、係合爪部８３が延びる方向と平行な面８４，８４の各々の略中央部には取付孔８４ａが形成されるとともに、開口部８１側からこの面８４，８４の各々が切り取られた溝部８４ｂが形成されている。同様に、係合爪部８３の基端側の面８５には、外側開口部８１側からこの面８５が切り取られた溝部８５ａが形成され、係合爪部８３の先端側の面８６には、外側開口部８１側からこの面８６が切り取られた溝部８６ａが形成されている。
【００３１】
内側部材９０は、図１１に示すように、一方の面が開口して内側開口部９１が形成されている。内側開口部９１を形成する側面のうち、一方の対向する面９２，９２の各々には、外方に突出する取付爪部９２ａが形成されている。また、他方の対向する面のうちの一つの面９３には、基端部９３ａが内側開口部９１と反対側に形成されて舌状に切り込まれ、且つ、外方に突出する係止突起部９３ｂが形成されている。さらに、内側開口部９１と対向する面９４の縁部のうち、取付爪部９２ａが形成された面９２と接する部分と、係止突起部９３が形成されていない面９５と接する部分には、この面９４と同一面内に位置して外方に突出するフランジ部９４ａ，９４ｂが形成されている。
【００３２】
以上のように構成された外側部材８０の外側開口部８１に対して、内側部材９０を、内側開口部９１側から挿入すると、外側部材８０の溝部８４ｂに内側部材９０のフランジ部９４ａ，９４ａが組み合わされ、溝部８６ａの外側開口部８１ａ側を塞ぐようにフランジ部９４ｂが組み合わされるとともに、取付孔８４ａに取付爪部９２ａが係合して外側部材８０に内側部材９０が固定されてストッパ部材７１が組み立てられる。このとき、外側部材８０の溝部８５ａから内側部材９０の係止突起部９３ｂが外方に突出する。
【００３３】
ストッパ部材７１は、図１２および図１３に示すように、蓋側係合部６４内に挿入されて用いられる。まず、ケース本体部材５０に取り付けられたケース蓋部材６０の右方向へのスライド移動を規制するため（これを「係止状態」と呼ぶ）には、図１２に示すように、ストッパ部材７１の係合爪部８３が下方に向き、かつ、この係合爪部８３の傾斜面８３ａが左方（ケース蓋部材６０をケース本体部材５０に取り付けるときにスライド移動させる方向）に位置するように蓋側係合部６４に挿入する（このストッパ部材７１の状態を「ロック状態」と呼ぶ）。なお、ストッパ部材７１が蓋側係合部６４に挿入されると、ストッパ部材７１の係止突起部９３ｂが蓋側係合部６４の内側の壁に押しつけられて弾性で付勢するため、この蓋側係合部６４の開口部が下方を向けられても、ストッパ部材７１は容易に脱落しない。
【００３４】
このような状態で、ケース蓋部材６０の係止突起部６２をケース本体部材５０の蓋部材取付溝５４に挿入すると、ストッパ部材７１の係合爪部８３は、爪待避凹部５６ｆに位置するため、この係合爪部８３が上方に押し上げられることがなく、その結果として、蓋側係合部６４も押し上げられることはない。そして、ケース蓋部材６０をケース本体部材５０に対して左方にスライド移動すると、ストッパ部材７１の係合爪部８３が、傾斜面８３ａに沿って爪待待避凹部５６ｆの右端側に形成された傾斜面により押し上げられながら係止爪部８３が左方に移動する。このとき、同時に蓋側係合部６４に形成された係合突起部６４ｂが、その右端部から本体側係合部５６に形成された係合保持部５６ｅに挿入されるため、係止爪部８３が押し上げられても蓋側係合部６４が押し上げられることはない。
【００３５】
そして、蓋側係合部６４と本体側係合部５６とが重なった位置になると、係合爪部８３と係合凹部５６ｃとの位置が一致し、押し上げられていた係合爪部８３が弾性で係合凹部５６ｃに入り込み、係合凹部５６ｃと係合爪部８３とが係合するとともに、ストッパ部材７１のガイド部８２ａ，８２ａが、本体側係合部５６の係合溝５６ｄ，５６ｄにそれぞれ挿入され、さらに、係合突起部６４ｂと係合保持部５６ｅとが嵌合して本体側係合部５６と蓋側係合部６４とが係合する。この状態となると、ケース蓋部材６０を右方にスライド移動させようとしても、係合爪部８３の係合面８３ｂが係合凹部５６ｃと係合しており、この係合面８３ｂは係合凹部５６の壁に沿って延びているため、係合爪部８３が上方に押し上げられることはなく、また、係合突起部６４ｂと係合保持部５６ｅとが嵌合されているため蓋側係合部６４を本体側係合部５６から引き離すことができず、係合凹部５６ｃから係合爪部８３が外れることはない。そのため、本体側係合部５６と蓋側係合部６４とは固定され、ケース本体部材５０に対してケース蓋部材６０を固定保持する（係止状態にする）ことができる。
【００３６】
一方、図１３に示すように、蓋側係合部６４に対して、係合爪部８３がこの蓋側係合部６４内に位置するように挿入された場合（係合爪部８３が上方を向いた状態に挿入された場合であって、この状態を「アンロック状態」と呼ぶ）には、本体側係合部５６と蓋側係合部６４とは係合せず、ケース本体部材５０に対してケース蓋部材６０は右方にスライド移動可能となる（この状態を「解除状態」と呼ぶ）。
【００３７】
このようにして、ケース蓋部材６０をケース本体部材５０に対してスライド移動させて蓋側係合部６４が本体側係合部５６と対向して重なる状態にすると、係合爪部８３と係合凹部５６ｃとが係合して本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に結合保持することができる。
【００３８】
そして、このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、蓋側連結部６６を切断して蓋側係合部６４をケース蓋部材６０から切り離す必要がある。そのため、主基板ケース１００の開放後は、蓋側連結部６６の切断痕跡が明確に残るため、不正な開封を早期に発見することができるとともに、不正行為を効果的に抑止できる。また、不正開放防止機構７０を解除状態から係止状態にするには、蓋側係合部６４に対してストッパ部材７１の係合爪部８３の向きを変える（アンロック状態で蓋側係合部６４に挿入されているストッパ部材７１を取り出してロック状態に入れ替える）だけで良いため、作業も非常に容易である。
【００３９】
なお、本実施例においては、不正開放防止機構７０は、本体側係合部５６、蓋側係合部６４、および、ストッパ部材７１の組を４組有しており、主基板ケース１００をこの不正開放防止機構７０で結合保持するためには、いずれか一つのストッパ部材７１をロック状態、すなわち、係合爪部８３が蓋側係合部６４に対して下方に突出するようにして挿入されていれば良い。そのため、例えば、主制御基板３１を検査するために、閉止状態（係止状態）の主基板ケース１００が開放されても、別の不正開放防止機構７０の組を用いて閉止状態（係止状態）にすることができる。また、切り取られた蓋側係合部６４の数により主基板ケース１００が何回開放されたかを確認することができる。
【００４０】
このとき、ストッパ部材７１を構成する外側部材８０および内側部材９０を、それぞれ異なる色の樹脂で形成しておくことにより（例えば、外側部材８０を白色、内側部材９０を赤色）、ケース蓋部材６０は透明の樹脂で成形されているため、ストッパ部材７１の挿入状態がロック状態（内側部材９０が上側にあり赤色が蓋側係合部６４を透して見える状態）であるか、上方を向いたアンロック状態（外側部材８０が上側にあり白色が蓋側係合部６４を透して見える状態）であるか、を容易に識別することができる。あるいは、内側部材９０の面９４に「ロック」等の文字を表示しておくことにより、ロック状態のときは透明な蓋側係合部６４を通してこの文字を確認することができ、ロック状態を識別することができる。
【００４１】
また、前述したように、主基板ケース１００（ケース本体部材５０およびケース蓋部材６０）の材料として透明な樹脂材料を使用しているが、その中でもＡＢＳ樹脂を使用することが好ましい。これにより、上記のような部材に対して切断操作を行うと、ＡＢＳ樹脂の成分であるブタジエンがゴム性を有して伸び、部材が割れずに白色化しやすいため、その切断痕跡が明確に残りやすいという効果が得られる。また、主基板ケース１００を無理にこじ開けようとしても、同様に部材が白色化して（こじ開けた）痕跡が明確に残りやすいという効果が得られる。このとき、上述のように蓋側係合部６４の開口部周辺は本体側係合部５６の係合壁部５６ｂに覆われており、また、ストッパ部材７１の係合爪部８３は本体側係合部５６の係合溝５６ｄ，５６ｄに挿入されたガイド部８２ａ，８２ａで挟まれているため、係止状態をこじ開けようとするときに係合爪部８３を操作することが困難であり、無理に操作しようとすると、蓋側連結部６６が白色化しやすいように構成されている。
【００４２】
このように、不正開放防止機構７０は、ストッパ部材７１の係合爪部８３が本体側係合部５６の係合凹部５６ｃと係合することにより主基板ケース１００を閉止状態に保持するため、主基板ケース１００が閉止状態であることを保証するためには、ストッパ部材７１が所定の規格（形状や寸法等）で形成されていることを保証する必要がある。そのため、本実施例においては、ストッパ部材７１内にＩＣタグ２１０を封入し、このＩＣタグ２１０が封入されたストッパ部材７１が正規の部品であることを保証するように構成されている。ここでＩＣタグとは、リーダライタと呼ばれる装置から電磁波を照射することにより、非接触でこのＩＣタグが有するメモリに対して情報の読み書きを可能とするものである。なお、ＩＣタグ２１０は、例えば、図１１に示すように、ストッパ部材７１を構成する内側部材９０の内周面側に取り付けられる。
【００４３】
なお、上述のようにストッパ部材７１は、外側部材８０と内側部材９０の２個の部材を嵌合させて組み立てるように構成されているため、ＩＣタグ２１０を内側部材９０の内面側に取り付ける作業は容易である。また、外側部材８０に内側部材９０を嵌合させて組み立て、これらを融着したり接着したりすることにより、このストッパ部材７１内にＩＣタグ２１０を封入し、外部からＩＣタグ２１０を取り出し難くすることも容易である。
【００４４】
それでは、主基板ケース１００に取り付けられたストッパ部材７１が正しいものであるか否かをチェックするストッパ部材チェックシステム２００について図１４および図１５を用いて説明する。なお、図１４は、ストッパ部材チェックシステム２００を示す斜視図であり、図１５はこのストッパ部材チェックシステム２００の機能構成を示すブロック図である。
【００４５】
ストッパ部材チェック装置２００を構成する端末装置２２０は、筐体２２１、アンテナ２２２、表示部２２３、および、入力部２２４を備え、筐体２２１内には、リーダライタ部２２５および制御部２２６を有している。リーダライタ部２２５は、ストッパ部材７１に内蔵されたＩＣタグ２１０にアンテナ２２２から電磁波を照射してこのＩＣタグ２１０に対して情報の読み書きを行うものであり、制御部２２６により制御される。
【００４６】
そのため、図１４に示すように、パチンコ機ＰＭの背後に端末装置２２０を配置し、入力部２２４からＩＣタグ２１０の情報の読み出しを指示する。すると、制御部２２３は、リーダ部２２５を制御し、ＩＣタグ２１０の情報を読み出し、読み出した結果を表示部２２３に表示する。このとき、主基板ケース１００に複数のストッパ部材７１が取り付けられていても、リーダライタ部２２５はこれらのストッパ部材７１に内蔵されたＩＣタグ２１０の各々の情報を同時に読み出すことができ、それぞれの情報が表示部２２３に表示される。上述のように、ストッパ部材７１の数は蓋側係合部６４の数を目視することにより判断できるため、表示部２２３に表示されたＩＣタグの情報（数）と目視により確認された蓋側係合部６４（若しくは、内部に挿入されたストッパ部材７１）の数とを比較することにより、正規のストッパ部材７１が使用されているか否かを確認することができる。
【００４７】
なお、ＩＣタグ２１０の各々に固有の数値情報等からなる識別情報を記憶させておくことにより、ストッパ部材７１の各々を識別することも可能である。例えば、端末装置２２０に、チェック対象のストッパ部材７１に封入されているＩＣタグ２１０に記憶された識別情報を格納しておき、パチンコ機ＰＭに取り付けられたストッパ部材７１のＩＣタグ２１０から読み出された識別情報と比較することにより、予め登録されたストッパ部材７１が使用されているか否かを確認することができる。
【００４８】
以上説明した本発明の実施形態において達成される主要な効果を整理すると、ストッパ部材７１にＩＣタグ２１０を封入することにより、この情報を端末装置２２０で読み出すことにより正規のストッパ部材７１が使用されているか否か（すなわち、その品質が保証されたストッパ部材７１が使用されているか否か）を検査することができる。これにより、不正開放防止機構７０が正常に機能することを確認することができる。
【００４９】
なお、以上の実施例においては、パチンコ機ＰＭの主基板ケース１００の不正開放を防止する不正開放防止機構７０に用いられるストッパ部材７１にＩＣタグ２１０を用いた場合について説明したが、本発明の実施がこのストッパ部材７１に限定されることはなく、その他、パチンコ機ＰＭに対して着脱可能な部材であれば、同様に利用することができる。
【図面の簡単な説明】
【００５０】
【図１】遊技機の一例として示すパチンコ機の正面図である。
【図２】上記パチンコ機に設けられた遊技盤の背面図である。
【図３】上記遊技盤の背面側の斜視図である。
【図４】上記パチンコ機に設けられた主基板アッセンブリの分解斜視図である。
【図５】主基板アッセンブリの平面図である。
【図６】ケース本体部材を示す図であり、（ａ）は平面図であり、（ｂ）は底面図である。
【図７】ケース蓋部材を示す図であり、（ａ）は平面図であり、（ｂ）は底面図である。
【図８】ストッパ部材を示す図であり、（ａ）は係合爪部側から見た斜視図であり、（ｂ）は（ａ）の反対側から見た斜視図である。
【図９】ストッパ部材を異なる方向から見た斜視図である。
【図１０】外側部材を示す図であり、（ａ）は係合爪部側から見た斜視図であり、（ｂ）は（ａ）の反対側から見た斜視図である。
【図１１】内側部材を示す図であり、８ａ）は内側開口部側から見た斜視図であり、（ｂ）は（ａ）の反対側から見た斜視図である。
【図１２】不正開放防止機構によりケース本体部材とケース蓋部材とが係止状態にあるときを説明する要部拡大図である。
【図１３】不正開放防止機構によりケース本体部材とケース蓋部材とが開放状態にあるときを説明する要部拡大図である。
【図１４】本発明に係るストッパ部材チェックシステムを示す斜視図である。
【図１５】本発明に係るストッパ部材チェックシステムの機能構成を示すブロック図である。
【符号の説明】
【００５１】
ＰＭ  パチンコ機（遊技機）
７１  ストッパ部材
８０  外側部材
９０  内側部材
２００  ストッパ部材チェックシステム（着脱可能部材検査システム）
２１０  ＩＣタグ
２２０  端末装置
【図１】
2007267813.tif 000003
【図２】
2007267813.tif 000004
【図３】
2007267813.tif 000005
【図４】
2007267813.tif 000006
【図５】
2007267813.tif 000007
【図６】
2007267813.tif 000008
【図７】
2007267813.tif 000009
【図８】
2007267813.tif 000010
【図９】
2007267813.tif 000011
【図１０】
2007267813.tif 000012
【図１１】
2007267813.tif 000013
【図１２】
2007267813.tif 000014
【図１３】
2007267813.tif 000015
【図１４】
2007267813.tif 000016
【図１５】
2007267813.tif 000017